(57)【要約】【課題】折り畳むことにより体積を大幅に縮小し、携帯に便利な携帯式折畳テーブルチェアを提供する。    【解決手段】携帯式折畳テーブルチェアは、主に折畳テーブル骨フレーム構造、外筐椅子収納構造、テーブル面結合板構造から構成される。そのうち、折畳テーブル骨フレーム構造は骨フレーム一、骨フレーム二、骨フレーム三を含む。また外筐椅子収納構造は外筐、収納チェア脚、交差支持板、収納連接板を含み，その外筐は左右一対で、外観は主に一長方形状で、収納チェア脚は外筐内に設置し、各々両収納チェア脚の間には交差支持板を設置し、収納チェア脚と外筐の内側に収納連接板を連接する。テーブル面結合板構造は多数塊のテーブル板を連接して構成され、両端テーブル板の底部両端にそれぞれ一掛合孔を設置する。【選択図】図１
0003141202.tif 000002
【実用新案登録請求の範囲】
【請求項１】
一組の折畳テーブル骨フレーム構造、一組の外筐椅子収納構造、一組のテーブル面結合板構造から構成された携帯式折畳テーブルチェアにおいて、そのうち、
骨フレーム一、骨フレーム二、骨フレーム三を含み、骨フレーム一は骨フレーム二、骨フレーム三の連接箇所でそれぞれ関節カバーを設置し、関節カバー上に一掛合凸塊を設置し、また骨フレーム三と骨フレーム二交差箇所には一外観がＸ状の交差回転関節を設置する折畳テーブル骨フレーム構造と、
外筐、収納チェア脚、交差支持板、収納連接板を含み、外筐の外観は主に一長方形状で、収納チェア脚は各チェア脚装置凸塊上に設置し、各両収納チェア脚の間には交差支持板を設置し、収納チェア脚と外筐内側には収納連接板を連接する外筐椅子収納構造と、
多数塊のテーブル板を弾性紐で連接して構成しているため、弾性を具えた折畳収納で、両端テーブル板の底部両端にはそれぞれ一掛合孔を設置し、その掛合孔は関節カバー上装設の掛合凸塊に掛合し、テーブル面結合板構造と折畳テーブル骨フレーム構造を結合してテーブルを完成するテーブル面結合板構造を含むことを特徴とする携帯式折畳テーブルチェア。
【請求項２】
前記関節カバーは、骨フレーム一と骨フレーム二連接箇所、骨フレーム一と骨フレーム三連接箇所をそれぞれ回転する活動関節を形成し、その交差回転関節は骨フレーム三と骨フレーム二が交差回転関節を中心支点として回転し、折畳テーブル骨フレーム構造を折り畳んで収納させることを特徴とする請求項１記載の携帯式折畳テーブルチェア。
【請求項３】
前記外筐は、左右対称の一対で，その内部四端にはそれぞれ一チェア脚装置凸塊を設置し、そのうちの一外筐外側両面には接合環、ロック鉤を設置し、別の一外筐外側両面には接合鉤、ロック桿を設置し、左右の外筐上の接合環は接合鉤と掛合し、ロック鉤はロック桿と掛合し、左右対称の一対での外筐を閉じると一内部に物品を納置する空間を具えた箱型を形成することを特徴とする請求項１記載の携帯式折畳テーブルチェア。
【請求項４】
前記収納チェア脚は、チェア脚装置凸塊を支点として回転して外筐内部に収納することを特徴とする請求項１記載の携帯式折畳テーブルチェア。
【請求項５】
前記折畳テーブル骨フレーム構造とテーブル面結合板構造は、折り畳んで収納した後、係可置入左右対称の外筐が閉じて物品の納置する空間を具え、収納しやすいことを特徴とする請求項１記載の携帯式折畳テーブルチェア。
【考案の詳細な説明】
【技術分野】
【０００１】
本考案は、一種の折畳テーブルチェア構造で、特に折り畳んで携帯するのが便利な携帯式折畳テーブルチェア構造に係る。
【背景技術】
【０００２】
公知のテーブルチェア構造は、テーブルとチェアが各自独立して分かれて携帯する。しかし、テーブルとチェアはそれぞれが大きな体積を占めるため、携帯が不便と言う欠点がある。そのため、アウトドアの旅行などで使用する時、使用するテーブルチェアの携帯は頭を痛める問題である。
【特許文献１】特開２００６−１５０１０４号公報
【考案の開示】
【考案が解決しようとする課題】
【０００３】
解決しようとする問題点は、体積が大きいため携帯するのが不便である点である。
【課題を解決するための手段】
【０００４】
本考案は、主に折畳テーブル骨フレーム構造、外筐椅子収納構造、テーブル面結合板構造から構成される。そのうち、折畳テーブル骨フレーム構造は骨フレーム一、骨フレーム二、骨フレーム三を含む。また外筐椅子収納構造は外筐、収納チェア脚、交差支持板、収納連接板を含み，その外筐は左右一対で、外観は主に一長方形状で、収納チェア脚は外筐内に設置し、各々両収納チェア脚の間には交差支持板を設置し、収納チェア脚と外筐の内側に収納連接板を連接する。テーブル面結合板構造は多数塊のテーブル板を連接して構成され、両端テーブル板の底部両端にそれぞれ一掛合孔を設置することを最も主要な特徴とする。
【考案の効果】
【０００５】
本考案の携帯式折畳テーブルチェアは、下述の利点がある。
利点１、本考案の折畳テーブル骨フレーム構造は折畳式構造で、折り畳むことにより体積を大幅に縮小する。
利点２、本考案のテーブル面結合板構造は、弾性紐で多数塊を連接するテーブル板であるため、弾性を具え、且つ折り畳むことができる。
利点３、本考案の折畳テーブル骨フレーム構造とテーブル面結合板構造は、折り畳んで外筐椅子収納構造内に入れて外筐椅子収納構造を閉じると、一箱形状を形成して携帯しやすくなる。
【考案を実施するための最良の形態】
【０００６】
図１から図１２に示すのは、本考案の各説明示意図であり、本考案は公知技術の欠点を改善した。
【０００７】
本考案は、一種の携帯式折畳テーブルチェア構造で、主に折畳テーブル骨フレーム構造、外筐椅子収納構造、テーブル面結合板構造から構成される。
【０００８】
図１、図２、図３、図４、図５、図６、図７、図８、図９、図１０、図１１、図１２は、それぞれ本考案の各説明の図示である。本考案は、一種の携帯式折畳テーブルチェア構造で、主に一組の折畳テーブル骨フレーム構造１０、一組の外筐椅子収納構造２０、一組のテーブル面結合板構造３０から構成される。そのうち，折畳テーブル骨フレーム構造１０は、骨フレーム一１１、骨フレーム二１２、骨フレーム三１３を含み、その骨フレーム一１１はそれぞれ骨フレーム二１２、骨フレーム三１３との連接箇所に於いて関節カバー１１１を設置し、それぞれの骨フレーム一１１と骨フレーム二１２の連接箇所、骨フレーム一１１と骨フレーム三１３の連接箇所で各々回転する活動関節を形成する。この関節カバー１１１上には一掛合凸塊１１２を設置し、骨フレーム三１３と骨フレーム二１２の交差箇所には一外観がＸ状の交差回転関節１４を設置し、骨フレーム三１３と骨フレーム二１２が交差回転関節１４を中心支点として回転する。
【０００９】
外筐椅子収納構造２０は、外筐２１、収納チェア脚２２、交差支持板２３、収納連接板２４を含む。その外筐２１は、左右対称の一対で、外観は主に一長方形状とする。その内部四端にはそれぞれ一チェア脚装置凸塊２１１を設置し、そのうち一外筐２１外側両面に接合環２１２、ロック鉤２１４を設置する。別の一外筐外側両面には接合鉤２１３、ロック桿２１５を設置し、左右外筐２１上の接合環２１２は接合鉤２１３と掛合し、そのロック鉤２１４はロック桿２１５と掛合し、左右対称の一対での外筐２１が合わさって一内部は物品を納置する空間を備えた箱型を形成する。収納チェア脚２２は各チェア脚装置凸塊２１１上に設置し、各両収納チェア脚２２の間には交差支持板２３を設置し、収納チェア脚２２と外筐２１内側は収納連接板２４を連接する。
【００１０】
図１に示すとおり、テーブル面結合板構造３０は多数塊のテーブル板３１が弾性紐で連接して構成するため、弾性を具えて折畳収納し、両端テーブル板３１の底部両端にはそれぞれ一掛合孔３１１を設置する。その掛合孔３１１には関節カバー１１１上に設置した掛合凸塊１１２を掛合し、テーブル面結合板構造３０を折畳テーブル骨フレーム構造１０と結合してテーブルを形成する。
【００１１】
図１に示すとおり、それぞれ左右の外筐２１内部四端のチェア脚装置凸塊２１１上に収納チェア脚２２を設置し、収納チェア脚２２がチェア脚装置凸塊２１１を支点として回転して収納し、両組の収納チェア脚２２を外筐２１内部にしまう収納椅子として形成し、外筐椅子収納構造２０の組立を完成する。
【００１２】
図９に示すとおり、先ず多数塊のテーブル板３１を弾性紐で連接して弾性を具えて折り畳み、底部に設置した掛合孔３１１のテーブル板３１をそれぞれ最両端に設置してテーブル面結合板構造３０の組立を完成する。
【００１３】
図１に示すとおり、交差支持板２３を骨フレーム二１２中央附近の適する位置に設置し、その後交差支持板２３の突出した両端にそれぞれ一骨フレーム三１３を設置して一組の骨フレーム構造を完成する。次に二件の骨フレーム一１１の両端にそれぞれ関節カバー１１１を設置し、そのうち一件の骨フレーム一１１の一端の関節カバー１１１を骨フレーム二１２に被せ、別の一件骨フレーム一１１の一端の関節カバー１１１を骨フレーム三１３に被せる。この二件の骨フレーム一１１の別一端の関節カバー１１１は、前述と同じように別一組の骨フレーム構造に折畳テーブル骨フレーム構造１０を設置して組立を完成する。
【００１４】
図２、図３、図４、図５、図１０、図１１、図１２に示すとおり、構造を収納する時、先ず収納チェア脚２２を外筐２１内に入れて収納し、その次にテーブル面結合板構造３０を外して折り、折畳テーブル骨フレーム構造１０内の両骨フレーム一１１を内向きに相互に重ね合わせ、両端の骨フレーム二１２と骨フレーム三１３をそれぞれ骨フレーム一１１上方と下方まで折って折畳テーブル骨フレーム構造１０の収納を完成する。そして左右の外筐２１外側の接合環２１２と接合鉤２１３を掛合し、収納が完成した折畳テーブル骨フレーム構造１０とテーブル面結合板構造３０を外筐２１内に入れ、ロック鉤２１４とロック桿２１５を掛合して左右の外筐２１を閉じて合わせ収納を完成すると、構造全体が一携帯式の箱形を形成する。
【図面の簡単な説明】
【００１５】
【図１】本考案の構造立体図である。
【図２】本考案の折畳テーブルの骨フレーム構造展開図である。
【図３】本考案の折畳テーブルの骨フレーム構造収納動作一図である。
【図４】本考案の折畳テーブルの骨フレーム構造収納動作二図である。
【図５】本考案の折畳テーブルの骨フレーム構造収納動作三図である。
【図６】本考案の装置に接合環とロック鉤がある外筐図である。
【図７】本考案の装置に接合鉤とロック桿がある外筐図である。
【図８】本考案の外筐俯瞰図である。
【図９】本考案のテーブル面結合板塊俯瞰図である。
【図１０】本考案の外筐椅子収納構造の収納動作図である。
【図１１】本考案の構造収納動作一図である。
【図１２】本考案の構造収納動作二図である。
【符号の説明】
【００１６】
１０        折畳テーブル骨フレーム構造
１１        骨フレーム一
１１１        関節カバー
１１２        掛合凸塊
１２        骨フレーム二
１３        骨フレーム三
１４        交差回転関節
２０        外筐椅子収納構造
２１        外筐
２１１        チェア脚装置凸塊
２１２        接合環
２１３        接合鉤
２１４        ロック鉤
２１５        ロック桿
２２        収納チェア脚
２３        交差支持板
２４        収納連接板
３０        テーブル面結合板構造
３１        テーブル板
３１１        掛合孔
【図１】
0003141202.tif 000003
【図２】
0003141202.tif 000004
【図３】
0003141202.tif 000005
【図４】
0003141202.tif 000006
【図５】
0003141202.tif 000007
【図６】
0003141202.tif 000008
【図７】
0003141202.tif 000009
【図８】
0003141202.tif 000010
【図９】
0003141202.tif 000011
【図１０】
0003141202.tif 000012
【図１１】
0003141202.tif 000013
【図１２】
0003141202.tif 000014